(57)【要約】      （修正有）【課題】点検を漏らしたり，点検対象を間違うことが無く，さらに，電源の供給や電池交換などのメンテナンスを不要とするなど，簡単，小型で携帯に適したゲートチエッカーを提供する。【解決手段】点検対象の近傍に配置され，それぞれの固有コードを備えるアダプター，ならびに，アダプターから固有コードを取得する機能，点検実施の日付，時刻，ならびに点検対象，点検完了，施錠などの点検データを記憶，表示する機能などを備えるチエッカーで構成し，予めチエッカーに設定される点検対象を順番に点検を行い，完了するごとに，近傍に配置されるアダプターの固有コードを取得して点検完了データを記憶，表示し，予め指定されるアダプターの固有コードを取得することにより点検実施の日付時刻を設定し，点検データが消去されるまで保持し，予め指定されるアダプターの固有コードを施錠データを取得して以降に取得する。【選択図】図１
0003141433.tif 000002
【実用新案登録請求の範囲】
【請求項１】
点検対象の近傍に配置され，それぞれの固有コードを備えるアダプター，ならびに，アダプターから固有コードを取得する機能，点検実施の日付，時刻，ならびに点検対象，点検完了，施錠などの点検データを記憶，表示する機能などを備えるチエッカーで構成し，点検に関しては，予めチエッカーに設定される点検対象を順番に点検を行い，完了するごとに，近傍に配置されるアダプターの固有コードを取得することにより，点検完了データを記憶，表示し，施錠に関しては，施錠後に，鍵アダプターから固有コードを取得して施錠データを記憶，表示するとともに，点検実施の日付時刻の設定に関しては，設定漏れを防ぐため，予め指定されるアダプターの固有コードを取得することにより設定し，点検データが消去されるまで保持し，点検データの消去に関しては，誤消去を防ぐため，予め指定されるアダプターの固有コードを，施錠データを取得して以降に取得することにより過去データを消去するなど，アダプターから取得する固有コードで主要な処理を行うことにより，誤設定，誤操作が防がれる点に大きな特徴を有し，実際に点検対象に行って点検したことを確証として残し，いつでも確認できるとともに，点検対象，ならびに鍵の近傍に複数配置するアダプターは，電源の供給や電池交換を不要とするなど，簡単，小型で携帯に適するゲートチエッカー。
【請求項２】
点検データの消去に関しては，誤消去を防ぐため，施錠データを取得して以降に，予め指定されるアダプターの固有コードを取得することにより，過去データの表示を消去するとともに，過去データに関しては，所定件数を記憶保存し，必要に応じて表示，確認する機能を有する請求項１に記載される，簡単，小型で携帯に適するゲートチエッカー。
【考案の詳細な説明】
【技術分野】
【０００１】外出に際して，電気器具，ガス器具，戸締りなどの点検，施錠などが確実に行われたか否かに関しては常に不安があり，途中から戻って確認をしなおす場合もあるなど，人間の記憶には「曖昧さ」が付き物である。このような不安を払拭するため，殆どの主要な処理はアダプターからの固有コードで行うことにより，誤設定，誤操作が防がれる点に大きな特徴を有し，外出時に実際に点検対象に行って点検したことをチエッカーに確証として残すとともに，容易に消去されず，後に点検時刻や点検結果を表示して確認することが容易な，簡単，小型で携帯に適したゲートチエッカー。
【背景技術】
【０００２】外出時における点検記憶の曖昧さ，ならびに点検漏れを防止するために，点検を実施した場合に点検者が点検対象を示すスイッチなどを点検済みにセットして点検結果を残す表示器などが種々提案されており，それなりの効果は有るものの，点検結果を人為的に選択して表示する方法では設定ミスなども考えられるとともに，点検対象が間違いなく点検されたか否かに不安が残る。さらにスイッチなどで構成した表示器は大型となり点検結果を持ち歩くには適さない欠点を有している。
【考案が解決しようとする課題】
【０００３】点検結果を人為的に選択して表示するのではなく，実際に点検対象に行って点検を行って，誤設定，誤操作なく，簡単には消去できない確証として点検時刻や点検結果を残すとともに，確認したいときには容易に表示確認できることにより，点検を漏らしたり，点検対象を間違うことが無く，さらに，点検対象の近傍に複数配置する関連部材に関しては，電源の供給や電池交換などのメンテナンスを不要とするなど，簡単，小型で携帯に適したゲートチエッカーを実現する。
【課題を解決するための手段】
【０００４】点検対象の近傍に配置され，それぞれの固有コードを備えるアダプター，ならびに，アダプターから固有コードを取得する機能，点検実施の日付，時刻，ならびに点検対象，点検完了，施錠などの点検データを記憶，表示する機能などを備えるチエッカーで構成し，予めチエッカーに設定される点検対象を順番に点検を行い，完了するごとに，近傍に配置されるアダプターの固有コードを取得して点検完了データを記憶，表示し，予め指定されるアダプターの固有コードを取得することにより，点検実施の日付時刻を設定し，点検データが消去されるまで保持し，予め指定されるアダプターの固有コードを施錠データを取得して以降に取得することにより，過去データを消去するなど，アダプターから取得する固有コードで主要な処理を行うことにより，誤設定，誤操作が防がれる点に大きな特徴を有し，実際に点検対象に行って点検したことを確証として残し，いつでも確認できるとともに，点検対象の近傍に複数配置するアダプターは，電源の供給や電池交換などを不要とする。
【考案の効果】
【０００５】チエッカーに設定される点検対象を順番に点検を行い，完了するごとに，近傍に配置されるアダプターの固有コードを取得して点検完了データを記憶，表示し，予め指定されるアダプターの固有コードを取得することにより点検実施の日付時刻を設定し，点検データが消去されるまで保持し，予め指定されるアダプターの固有コードを施錠データを取得して以降に取得することにより，過去データを消去するなど，アダプターから取得する固有コードで主要な処理を行うことにより，誤設定，誤操作が防がれる点に大きな特徴を有し，実際に点検対象に行って点検したことを確証として残し，いつでも確認できるとともに，点検対象の近傍に複数配置するアダプターは，電源の供給や電池交換などを不要とする，簡単，小型で携帯に適したゲートチエッカーが実現される。
【考案を実施するための最良の形態】
【０００６】図１はチエッカーの概観図であり，１は表示ＬＣＤ，２〜７は操作スイッチ，８はアダプターから固有コードを取得する接続端子部，９は筐体を示す。図２（１）はアダプターの概観図であり，１０はアダプターの固有コードを設定するスイッチ，１１はチエッカーにコードを渡す接続端子部，１２は点検対象のコードを示す銘板で，点検順位も表し「１」に設定されている。１３は点検対象の近傍に配置するための紐，鎖などの連結材，１４は筐体である。図２（２）は鍵アダプターの概観図であり，１５は接続端子部，１６は点検対象のコードを示す銘板であり，鍵コードは「１５」に設定されている。１７は鍵に連結するストラップ，１８は筐体を示す。【０００７】点検確認中の表示ＬＣＤには，点検対象は「８」ヶ所，点検完了は「８」ヶ所，ならびに施錠「１５」は「０７年１１月２０日１３時２０分」に施錠したことを表示している。年，月，日，時，分，点検対象，点検完了，施錠はそれぞれ二桁の数字で表示可能である。時刻設定スイッチ２を押下するごとに，数値の設定位置が，年，月，日，時，分の順にそれぞれ一桁ずつシフトして移動するため，必要な表示位置で設定値スイッチ３により所要の数値を入力する。設定値スイッチ３は押す毎にスペース，０，１，２〜９まで順に送られるため，設定スイッチ４を押下して選択する数値を確定する。年，月，日，時，分には標準時刻を設定表示する。対象設定スイッチ５を押下すると，点検対象表示位置が示され，設定値スイッチ３により所要の数値を選択し，設定スイッチ４を押下し点検すべき対象の数を設定する。年，月，日，時，分は常時は現在時刻を表示しているが，表示スイッチ７を押すと点検を行った時刻の年，月，日，時，分を表示し，２分後に現在時刻の表示に戻る。短時間しか表示させない理由は，家を出た時間を不用意に知られないためである。【０００８】点検対象の表示は，最初の点検対象を１として点検すべき対象の数を設定表示し，表示される数値，点検対象番号，固有コードは同一に設定することが解り易く望ましい。点検対象の点検が完了する毎に，近傍に配置されるアダプターから点検対象番号と同一の固有コードを取得して，点検完了数を表示する。固有コードは解析されて，点検順序に合致していれば，点検完了として表示，記憶される。鍵コードの場合は施錠表示に「１５」と表示されるとともに，点検日時の年，月，日，時，分が表示，記憶される。点検が完了して取得される固有コードが点検順序と相違している場合は，点検完了の表示をフラッシュして警告する。点検完了の表示と点検対象の表示を比較すれば，残っている点検対象のヶ所数が判る。【０００９】一般的に，ガス，電気，風呂などを順次点検して，最後に玄関を施錠して外出する手順となり，玄関の施錠は極めて重要である。施錠は玄関の外で行うため，施錠の近傍にアダプターを設置することは出来ず，ストラップで鍵に連結して常に持ち歩くことが望ましい。鍵アダプターにより固有コードが設定されたことは，鍵が手に持たれたことを表しており，施錠した確立が極めて高いことを示している。鍵アダプターは小型化が求められるため，他のアダプターとは別に，図２（２），図３（２）に示すように，固有コードを設定するスイッチを有さず，コードを回路で形成する構成とする。【００１０】図３（１）はアダプターの回路構成図であり，４桁のスイッチで固有コードを指定する。１９は接続端子部，２０はコードスイッチ，２１はスイッチの接点であり，オープンを１，クローズを０とすることにより，００００〜１１１１まで１６通りのコードが得られ，最初の点検対象を００００で一番とし，点検対象のコードとしては１０１１を最後として，０１１１を鍵アダプターの固有コードとする。なお１１１１コードは全オープンのコードであり接続無しと同一のため不使用コードとする。図２（２）に示す鍵アダプターでは小型化のためスイッチを使用せず，図３（２）に示す回路構成により０１１１を形成する。チエッカーは最初のコード００００を取得すると，点検完了，施錠，ならびに点検日時の表示，記憶を消去するとともに，点検完了の表示に１を表示する。この消去方法により，誤消去が完全に防止される。また鍵コード０１１１を取得すると，その時刻を点検時刻として記憶して年，月，日，時，分に表示を行い，２分後に現在時刻の表示に戻すことにより，点検時刻を設定し忘れることが無い。【００１１】点検完了の表示，データの消去，点検時刻設定などはすべてアダプターからの固有コードによるため，誤操作，誤設定などが完全に防がれる大きな特徴を有している。さらに，点検対称の近傍に複数配置するアダプターは，電源供給や電池交換が不要なためメンテナンスに優れる。図４はチエッカーの回路構成概念図である。接続端子部２２から取得される固有のコードは制御回路２６で処理され，データ記憶ＲＯＭ２３により記憶されて，駆動回路２７を経て，表示ＬＣＤ２８で表示される。時刻回路２４の時刻情報も制御回路で処理され，点検時刻はデータ記憶ＲＯＭにより記憶，保持される。各種の操作は操作スイッチ２５により行う。【００１２】過去の点検結果を記憶し，必要に応じて表示，確認出来ることは，過去の外出の日時確認など，過去の経緯を辿る場合などに大きな意味を持つ。請求項２はこの趣旨に基づくものであり，所定件数の過去データを記憶するメモリーを備え，必要に応じて読み出して表示，確認する。読み出し，表示は，表示スイッチの押下回数に応じて過去に遡る方法などで処理する。なお記憶される過去データは，蓄積数が記憶サイズを上回る場合は，古いデータから順次消去する。
【実施例】
【００１３】チエチカーは，縦×横×高さ；６０×６０×３ｍｍ，筐体は樹脂材，アダプターは，縦×横×高さ；４０×４０×１５ｍｍ，筐体は樹脂材，鍵アダプターは，縦×横×高さ；２０×３５×３ｍｍ，筐体は樹脂材で構成した。操作スイッチは薄くするためメンブレンスイッチを使用した。接続端子部は，チエッカー側はゴムコネクターを使用し，アダプター側は金属接点を使用したが，ピンコネクターを使用したり，太陽電池を電源とする光センサー結合とすることも可能である。コードを設定するスイッチは４桁のディツプスイッチとしたが，桁数を増やせば点検対象が多く出来るとともに，スイッチの形体もロータリータイプなど種々利用できる。点検対象の数，番号，コードは同一とすることが便利ではあるが，同一化しないことも可能であり，鍵アダプターは他のアダプターと同一の構成でも良い。また，点検データの消去に関しては，点検開始の最初のアダプターの固有コードとすること，点検実施の日付時刻の設定に関しても，鍵コードとすることが最も望ましいが，限定されるものではなく，それぞれ指定する点検対象からのコード取得によっても良い。【００１４】さらに，スイッチの押下や警告などをスピーカーにより音で知らせる機能を付加したり，時計機能を活用して，外出時刻や外出時刻に合わせた点検開始時刻などの通知，外出してからの所定時間の経過通知，鍵と共に携帯している鍵アダプターを利用して，目的地に到着して鍵コードをチエッカーに読み込ませることにより，ドア・ツー・ドア時間の表示，さらに，鍵コードの読み込みから，次の読み込みまでの間隔時間の表示による地点間の所要時間チエックなど，外出に関係する各種の時間管理機能を搭載することも有効である。なお，各種のディメンジョンや素材は，使用する表示ＬＣＤのサイズなどで変り得るなど，本考案の趣旨を逸脱しない範囲で有れば，種々変形実施が可能である。
【図面の簡単な説明】
【００１５】
【図１】チエッカーの概観図を示す
【図２】（１）アダプターの概観図を示す  （２）鍵アダプターの概観図を示す
【図３】（１）アダプターの固有コードの回路構成図を示す  （２）鍵アダプターの固有コードの回路構成図を示す
【図４】チエッカーの回路構成概念図を示す
【符号の説明】
１  表示ＬＣＤ          １１  接続端子部        ２１  スイッチの接点
２  時刻設定スイッチ    １２  銘板              ２２  接続端子部
３  設定値スイッチ      １３  連結材            ２３  データ記憶ＲＯＭ
４  設定スイッチ        １４  筐体              ２４  時刻回路
５  対象設定スイッチ    １５  接続端子部        ２５  操作スイッチ
６  コード設定スイッチ  １６  銘板              ２６  制御回路
７  表示スイッチ        １７  ストラップ        ２７  駆動回路
８  接続端子部          １８  筐体              ２８  表示ＬＣＤ
９  筐体                １９  接続端子部        ２９  電池
１０  コードスイッチ      ２０  コードスイッチ
【図１】
0003141433.tif 000003
【図２】
0003141433.tif 000004
【図３】
0003141433.tif 000005
【図４】
0003141433.tif 000006
【手続補正書】
【提出日】平成20年2月1日(2008.2.1)
【手続補正１】
【補正対象書類名】実用新案登録請求の範囲
【補正対象項目名】全文
【補正方法】変更
【補正の内容】
【実用新案登録請求の範囲】
【請求項１】
電気，ガス，施錠など，外出時に点検を必要とする点検対象の近傍に配置し，専用の電源や電池を備えず，それぞれの固有コードを有するアダプター，ならびに，小型，軽量に構成され，携帯して点検対象のアダプターに結合することによりアダプターの固有コードを取得し，取得されたコードが該当する点検対象に適合すると判断された場合に，点検完了を記憶，表示し，さらに予め指定される点検対象の点検において点検日時を記憶，表示する機能を備えるチエッカーで構成し，点検に際しては，予めチエッカーに設定，表示される点検対象を順次点検を行うとともに，記憶，表示された点検完了，点検日時の誤消去を防ぐため，最終の点検対象の点検完了以降において，予め指定されるアダプターの固有コードを取得した場合に限り，点検完了，点検日時が消去される構成とすることにより，チエツカーがアダプターから取得する固有コードにより全ての点検処理が行われるため，誤設定，誤操作が防がれ，実際に点検対象に行って点検したことを確証として残し，チエッカーを持ち歩くことにより点検結果をいつでも確認することができる，操作が簡単で，小型，携帯に適したゲートチエッカー。
【請求項２】
点検完了，点検日時の誤消去を防ぐため，最終の点検対象の点検完了以降において，予め指定されるアダプターの固有コードを取得した場合に限り，点検完了，点検日時の表示を消去するが，点検完了，点検日時のデータに関しては所定の点検回数分を記憶，保存し，必要に応じて過去データとして表示，確認する機能を有する請求項１に記載される，操作が簡単で，小型，携帯に適したゲートチエッカー。
【手続補正２】
【補正対象書類名】明細書
【補正対象項目名】０００３
【補正方法】変更
【補正の内容】
【０００３】外出時に点検対象を点検したことを確証として残して後に確認するために，誤設定の可能性が考えられる人為的に点検結果を選択，設定するのではなく，実際に点検対象に行って点検を行って後に，人為的に操作することはできず，簡単な操作で，誤設定なく，簡単には消去できない確証として点検完了，ならびに点検日時を記憶，表示し，持ち歩いて必要な時にいつでも確認することができ，誤消去されない小型，携帯に適した点検ツールを実現する。
【手続補正３】
【補正対象書類名】明細書
【補正対象項目名】０００４
【補正方法】変更
【補正の内容】
【０００４】点検対象の近傍に配置し，専用の電源や電池を備えず，それぞれの固有コードを有するアダプター，ならびに，小型電卓程度のサイズ，重量に構成され，携帯して点検対象のアダプターに結合することによりアダプターの固有コードを取得し，取得されたコードが該当する点検対象に適合すると判断された場合に，点検完了を記憶，表示し，さらに予め指定される点検対象の点検において点検日時を記憶，表示する機能を備えるチエッカーで構成し，予めチエッカーに設定，表示される点検対象を順次点検を行うとともに，記憶，表示された点検完了，点検日時は，最終の点検対象の点検完了以降において，予め指定されるアダプターの固有コードを取得した場合に限り消去される構成とする。
【手続補正４】
【補正対象書類名】明細書
【補正対象項目名】０００５
【補正方法】変更
【補正の内容】
【０００５】携帯可能なサイズ，重量のチエッカーを携帯して，点検対象に行って所要の点検を行って後に，点検対象の近傍に配置されるアダプターに結合する簡単な操作により，アダプターの固有コードを取得して点検完了を記憶，表示するとともに，予め指定される点検対象において，点検日時を記憶，表示することにより，実際に点検対象に行って何時点検を行ったかを確証として残すとともに，最終の点検対象の点検完了以降において，予め指定されるアダプターの固有コードを取得した場合に限り，点検完了，点検日時が消去される構成により，点検完了や点検日時が誤って消されることが無い。さらに，アダプターは専用の電源，電池を備えないため，給電や電池交換の必要も無く，設置フリー，メンテナンスフリーである。また，小型電卓程度のサイズ，重量のチエッカーは小型で，携帯に適する。
【手続補正５】
【補正対象書類名】明細書
【補正対象項目名】０００６
【補正方法】変更
【補正の内容】
【０００６】図１はチエッカーの概観図であり，１は表示ＬＣＤ，２〜７は操作スイッチ，８はアダプターから固有コードを取得する接続端子部，９は筐体を示す。図２（１）はアダプターの概観図であり，１０はアダプターの固有コードを設定するスイッチ，１１はチエッカーにコードを渡す接続端子部，１２は点検対象のコードを示す銘板で，点検順位も表し「１」に設定されている。１３は点検対象の近傍に配置するための紐，鎖などの連結材，１４は筐体である。図２（２）は玄関ドアの施錠点検に用いる鍵アダプターの概観図であり，１５は接続端子部，１６は点検対象のコードを示す銘板であり，鍵アダプターのコードは「１５」に設定されている。１７は鍵に連結するストラップ，１８は筐体を示す。なお，最終の点検対象となる玄関ドアの施錠点検は最も重要であるため，他の点検とは分けて，施錠の点検完了を施錠として記憶，表示する。また，この関係から，施錠を点検するアダプターに関しても，鍵アダプターとして他のアダプターとは別に扱う。
【手続補正６】
【補正対象書類名】明細書
【補正対象項目名】０００７
【補正方法】変更
【補正の内容】
【０００７】点検確認の表示ＬＣＤには，点検対象［８］，点検完了［８］が表示されており，点検対象は８ケ所あり，８番目の点検対象の点検が完了したことを示している。施錠［１５］は点検日時「０７年１１月２０日１３時２０分」に施錠したことを示している。点検対象，点検完了，点検日時，施錠は，それぞれ二桁の数字で表示可能である。年，月，日，時，分には最初に標準時刻を設定表示する。時刻設定スイッチ２を押下するごとに，数値の設定位置が，年，月，日，時，分の順にそれぞれ一桁ずつシフトして移動するため，必要な表示位置で設定値スイッチ３により所要の数値を入力する。設定値スイッチ３は押す毎にスペース，０，１，２〜９まで順に送られるため，設定スイッチ４を押下して選択する数値を確定する。対象設定スイッチ５を押下すると，点検対象表示位置が示され，設定値スイッチ３により所要の数値を選択し，設定スイッチ４を押下し点検すべき対象の数を設定する。年，月，日，時，分は常時は現在時刻を表示しているが，表示スイッチ７を押すと点検を行った時刻の年，月，日，時，分を表示し，２分後に現在時刻の表示に戻る。短時間しか表示させない理由は，家を出た時間を不用意に知られないためである。
【手続補正７】
【補正対象書類名】明細書
【補正対象項目名】００１１
【補正方法】変更
【補正の内容】
【００１１】点検完了，点検日時などの記憶，表示，消去は全てチエツカーがアダプターから取得する固有コードにより行われるため，操作は簡単であり誤操作，誤設定が無い。また，点検対象の近傍に配置するアダプターは電源や電池を備えないため，設置フリー，メンテナンスフリーである。図４はチエッカーの回路構成概念図である。接続端子部２２から取得される固有のコードは制御回路２６で処理され，データ記憶ＲＯＭ２３により記憶されて，駆動回路２７を経て，表示ＬＣＤ２８で表示される。時刻回路２４の時刻情報も制御回路で処理され，点検時刻はデータ記憶ＲＯＭにより記憶，保持される。各種の操作は操作スイッチ２５により行う。
【手続補正８】
【補正対象書類名】明細書
【補正対象項目名】００１３
【補正方法】変更
【補正の内容】
【００１３】チエツカーは，縦×横×高さ；６０×６０×３ｍｍ，筐体は樹脂材，アダプターは，縦×横×高さ；４０×４０×１５ｍｍ，筐体は樹脂材，鍵アダプターは，縦×横×高さ；２０×３５×３ｍｍ，筐体は樹脂材で構成した。操作スイッチは薄くするためメンブレンスイッチを使用した。接続端子部は，チエッカー側はゴムコネクターを使用し，アダプター側は金属接点を使用したが，ピンコネクターを使用することも可能である。また，アダプターはチエチッカーと連結した状態でチエッカーから給電を受けて，メモリーなどに書き込まれた固有コードをＬＥＤなどの光デバイスによりチエチカーに通知する構成も可能である。コードを設定するスイッチは４桁のディツプスイッチとしたが，桁数を増やせば点検対象が多く出来るとともに，スイッチの形体もロータリータイプなど種々利用できる。点検対象の数，番号，コードは同一とすることが便利ではあるが，同一化しないことも可能であり，鍵アダプターは他のアダプターと同一の構成でも良い。また，点検データの消去に関しては，点検開始の最初のアダプターの固有コードとすること，点検実施の日付時刻の設定に関しても，鍵コードとすることが最も望ましいが，限定されるものではなく，それぞれ指定する点検対象からのコード取得によっても良い。
【手続補正９】
【補正対象書類名】明細書
【補正対象項目名】００１４
【補正方法】変更
【補正の内容】
【００１４】点検対象，施錠，点検完了などに関しては，施錠を含めて，指定する点検対象を全て表示して，点検を完了した点検対象に対してそれぞれ点検完了を表示することにより，未完了の点検対象を解り易くするなど，種々の表示方法が考えられる。また，点検の順序は予め設定することが出来，設定順序に従って点検が実施されない場合，または，点検開始から所要時間経過しても指定された点検が完了しない場合などは，全ての表示を消去したり，エラー通知を発するなどの異常処理を行うとともに，点検順序は指定せずに未点検対象を明示し，所要時間経過しても指定された点検が完了しない場合にエラー通知を発するなど，種々の応用が可能である。さらに，スイッチの押下や警告などをスピーカーにより音で知らせる機能を付加したり，時計機能を活用して，外出時刻や外出時刻に合わせた点検開始時刻の通知，外出してからの経過時間通知，鍵と共に携帯している鍵アダプターを利用して，目的地に到着して鍵コードをチエッカーに読み込ませることにより，ドア・ツー・ドア時間の表示，さらに，鍵コードの読み込みから，次の読み込みまでの間隔時間の表示による地点間の所要時間チエックなど，外出に関係する各種の時間管理機能を搭載することも有効である。なお，各種のディメンジョンや素材は，使用する表示ＬＣＤのサイズ，表示桁数などで変り得るなど，本考案の趣旨を逸脱しない範囲で有れば，種々変形実施が可能である。